(57)【要約】【課題】充分な強度を有し運送が容易で安価な空間構成用構造体を提供する。【解決手段】内部空間を形成するための空間構成用構造体１０であって、内部空間の境界における上端部に配置された複数の梁部１５〜１８および梁部の端部を連結する連結部材４１〜４４によって形成される環状構造体と、連結部材に上端が連結された複数の支柱フレーム１１〜１４と、を有し、環状構造体と支柱フレームとで形成される外形の稜線部分（外形輪郭）が面取りされるように、内部空間に対する外側に面取り面１１ａ〜２８ａが設けられる。【選択図】図１
2020133357.tif 000002
【特許請求の範囲】
【請求項１】
空間に設けられ、該空間内に多角柱状の内部空間を形成するための空間構成用構造体であって、
前記空間内における前記内部空間の境界における上端部に配置された複数の梁部および前記梁部の端部を連結する連結部によって形成される環状構造体と、
前記連結部に上端が連結された複数の支柱フレームと、
を有し、
前記環状構造体と前記支柱フレームとで形成される外形の稜線部分が面取りされるように、前記前記内部空間に対する外側に面取り面が設けられることを特徴とする空間構成用構造体。
【請求項２】
前記面取り面が、前記前記内部空間に対して外側に凸となる曲面とされる
ことを特徴とする請求項１に記載の空間構成用構造体。
【請求項３】
前記面取り面の曲率が、前記環状構造体と前記支柱フレームとで形成される外形における前記稜線部分の延在する方向において略等しく設定される
ことを特徴とする請求項１または２に記載の空間構成用構造体。
【請求項４】
前記支柱フレームの水平断面において、
前記面取り面の曲率半径をＲとし、前記梁部に接続される位置における前記支柱フレームの幅寸法をｔとしたときに、
（１−１／√２）Ｒ≦ ｔ ≦Ｒ
とされることを特徴とする請求項２または３に記載の空間構成用構造体。
【請求項５】
前記環状構造体において、
前記梁部が、前記連結部によって連結される梁フレームと、前記梁フレームを前記内部空間の外側から覆うカバー部材と、を有し、
前記連結部が、前記梁フレームの端部を連結する連結部材と、前記連結部材を前記内部空間の外側から覆うコーナー部材と、を有し、
前記カバー部材および前記コーナー部材に前記面取り面が形成されることを特徴とする請求項１から４のいずれか一項に記載の空間構成用構造体。
【請求項６】
前記コーナー部材における前記内部空間に対する面取り面と、前記カバー部材における前記内部空間に対する面取り面と、が面一に形成されることを特徴とする請求項５に記載の空間構成用構造体。
【請求項７】
前記環状構造体が、前記前記内部空間に対する採光口の輪郭を構成する
ことを特徴とする請求項１から６のいずれか一項に記載の空間構成用構造体。
【発明の詳細な説明】
【技術分野】
【０００１】
本発明は、空間構成用構造体に係り、室内や室外に設置される空間構成用構造体に用いて好適な技術に関するものである。
【背景技術】
【０００２】
オフィスや展示ホール等の屋内、あるいは屋外において、各種の展示や打ち合わせ、飲食等を行うための空間を形成するため、屋内又は屋外に設置されるブース装置としての、強度を備えたパネル体により形成された空間構造体が知られている。このような空間構造体としては、たとえば特許文献１，２に示すように、略四角柱の外形を有する。また、特許文献３に示すように、側部の一部分が曲面で構成されている例も知られている。
【０００３】
近年、オフィスのフリーアドレス化や、モバイルワークの進展等に鑑み、このような構造体を設置する機会が増えている。
このようなワークブースと称されるような打合せのための空間、あるいは、テレビ会議等の通信などをおこなうための空間は、天井がなく、上側が開放されている。
【先行技術文献】
【特許文献】
【０００４】
【特許文献１】特開平９−３１０５１５号公報
【特許文献２】特開２００７−１３２０３６号公報
【特許文献３】特開２０１８−１３５７２２号公報
【発明の概要】
【発明が解決しようとする課題】
【０００５】
しかしながら、特許文献１，２に示す空間構造体は、内部に人間が入れる程度に大きいため、空間構造体の上部からの光が遮断されて大きな影を作ってしまうため、之を解消したいという要求があった。
また、空間構造体を隣接して複数配置する際には、空間構造体が側面視して矩形とされたほうが空間利用効率としては向上するが、この場合、頂部に角張った部分があるため見た目に尖った印象を与え、利用者に威圧感を与える場合があった。このような状態に対応して改善可能な形状として、たとえば特許文献３に示すように上部の一部について面取りした形状も考えられるが、このような構造では上部の一部のみしか面取りをおこなっていないため、配置方向によって遮光されてしまうという問題は解決されていない。さらに、特許文献３に示すような構造では、配置方向と視認方向との関係により、見た目も大きく変わってしまうため、配置方向の自由度も失われてしまうという問題がある。
【０００６】
本発明は、上記の事情に鑑みてなされたもので、以下の目的を達成しようとするものである。
１．屋内で天井から離間して周囲から独立に視認可能な構造体において、周囲への遮光の影響を低減し、設置する向きの自由度を向上すること。
２．上記の構造体で、デザイン性と視覚性を向上すること。
【課題を解決するための手段】
【０００７】
本発明の空間構成用構造体は、空間に設けられ、該空間内に多角柱状の内部空間を形成するための空間構成用構造体であって、前記空間内における前記内部空間の境界における上端部に配置された複数の梁部および前記梁部の端部を連結する連結部によって形成される環状構造体と、前記連結部に上端が連結された複数の支柱フレームと、を有し、前記環状構造体と前記支柱フレームとで形成される外形の稜線部分（外形輪郭）が面取りされるように、前記前記内部空間に対する外側に面取り面が設けられることにより上記課題を解決した。
これにより、空間構成用構造体は、環状構造体と支柱フレームとが、内部空間を外部から分離して多角柱状の内部空間を形成することができる。ここで、空間構成用構造体の上側から照射される光が空間構成用構造体によって遮られて空間構成用構造体の周囲に大きな影を形成する場合でも、面取り面が環状構造体の上側から外側に向けた面取りとされているため、空間構成用構造体周辺への遮光の影響を小さくすることができる。また、環状構造体に加えて支柱フレームも面取りされており、外形の稜線部分が全て面取りされているため、空間構成用構造体を設置する向きを変更しても遮光される範囲は影響を受けない。これにより、空間構成用構造体におけるデザイン性と視覚性とを向上することができる。
【０００８】
本発明の空間構成用構造体は、前記面取り面が、前記前記内部空間に対して外側に凸となる曲面とされることを特徴とする。
これにより、環状構造体と支柱フレームとの強度をほとんど損なうことなく、周辺への遮光の影響を小さくすることができる。また、外側から見た際に環状構造体上部がなだらかな形状となっているため、利用者に柔らかい印象を持たせることが可能である。
【０００９】
本発明の空間構成用構造体は、前記面取り面の曲率が、前記環状構造体と前記支柱フレームとで形成される外形における前記稜線部分の延在する方向において略等しく設定されることを特徴とする。
これにより、複数の空間構成用構造体を隣接するように並設した場合でも、隣接する支柱フレーム、および、対応する位置にある環状構造体が、それぞれ略等しい曲率を有することになる。したがって、ほぼ同一の外観となるため、見た目の統一を行うことが可能となる。さらに、複数の空間構成用構造体を異なる向きとして隣接するように並設した場合でも、ほぼ同一の外観となるため、見た目の統一を行うことが可能となる。
また、支柱フレームと梁部とを同一材質で作成することが可能となり、安価な製造を可能とすることができる。
【００１０】
本発明の空間構成用構造体は、前記支柱フレームの水平断面において、前記面取り面の曲率半径をＲとし、前記梁部に接続される位置における前記支柱フレームの幅寸法をｔとしたときに、
（１−１／√２）Ｒ≦ ｔ ≦Ｒ
とされることを特徴とする。
支柱フレームの幅寸法ｔが面取り面の曲率半径Ｒより大きく設定された場合には、空間構成用構造体を側面視した際に支柱フレームの幅寸法ｔよりも面取り面における幅寸法のほうが大きくなり、１つの支柱フレームに対応する２本の梁フレームを接続することが困難となる。ここで、面取り面における幅寸法とは、支柱フレームの幅寸法ｔと同じ方向における面取り面の幅寸法を意味している。
さらに、梁部と支柱フレームとで形成される側面、つまり、多角柱状の空間構成用構造体の側面部分にパネル部を設けた場合に、パネル部の厚さ寸法は、支柱フレームおよび梁部の幅寸法ｔと等しく設定することができる。この際、パネル部が透明体の部分を有する場合、および隣接する位置となる多角柱状の側面にパネル部を設けていない場合には、支柱フレームよりもパネル部が厚くなっているため側面視した空間構成用構造体の見た目が損なわれる可能性がある。
また、支柱フレームの幅寸法ｔ、すなわち、パネル部の厚さが（１−１／√２）Ｒ以下に設定された場合には、支柱フレームの面取り面とパネルの外側面とを段差無く接続させた場合に、内側の角部が多角柱を形成する適正な角度とすることができなくなり、内部空間の利用に制約が発生する可能性がある。
【００１１】
本発明の空間構成用構造体は、前記環状構造体において、前記梁部が、前記連結部によって連結される梁フレームと、前記梁フレームを前記内部空間の外側から覆うカバー部材と、を有し、前記連結部が、前記梁フレームの端部を連結する連結部材と、前記連結部材を前記内部空間の外側から覆うコーナー部材と、を有し、前記カバー部材および前記コーナー部材に前記面取り面が形成されることを特徴とする。
これにより、コーナー部材と支柱フレームとの外側面（面取り面）、および、コーナー部材とカバー部材との外側面（面取り面）において、それぞれの外側面（面取り面）があたかも連続しているように形成して、空間構成用構造体の視認性を向上することができる。また、カバー部材とコーナー部材とによって、環状構造体の稜線部分を覆うことができるため、強度に影響を与えることなく面取り面を形成することが可能となる。
【００１２】
本発明の空間構成用構造体は、前記コーナー部材における前記内部空間に対する外側面（面取り面）と、前記カバー部材における前記内部空間に対する外側面（面取り面）と、が面一に形成される。
これにより、外形の稜線部分が全て面取りされており、かつ、環状構造体における面取り面を面一として、デザイン性と視覚性と遮光性とを向上することができる。
【００１３】
本発明の空間構成用構造体は、前記環状構造体が、前記前記内部空間に対する採光口の輪郭を構成することを特徴とする。
これにより、空間構成用構造体周辺への遮光影響を小さくすることが可能となるため、空間構成用構造体に対する上側位置から照射された光によって空間構成用構造体周辺を照らしつつ、空間構成用構造体の内部、つまり、内部空間も良好に照らすことが可能となる。
【００１４】
また、本発明において、前記連結部材および前記梁部からなる前記環状構造体が、前記梁フレームを前記内部空間の外側から覆うカバー部材と、前記連結部材を前記内部空間の外側から覆うコーナー部材と、を備える。この際、前記コーナー部材における前記内部空間に対する外側面（面取り面）と、前記支柱フレームにおける前記内部空間に対する外側面（面取り面）と、が面一に形成されるとともに、前記コーナー部材における前記内部空間に対する外側（面取り面）面と、前記カバー部材における前記内部空間に対する外側面（面取り面）と、が面一に形成され、前記コーナー部材における下端部と前記カバー部材側となる端部、および、前記支柱フレームの上端部と前記カバー部材の端部の一方には、他方における前記内部空間に対する内側の位置に突出する突出部が設けられていることができる。
これにより、コーナー部材の下端と支柱フレームの上端部との一方に設けられた突出部を他方に差し込むとともに、コーナー部材の端部とカバー部材の端部との一方に設けられた突出部を覆うように他方を載置して、カバー部材を梁フレームに固定することで、コーナー部材と支柱フレームとの隙間、および、コーナー部材とカバー部材との隙間に、突出部が位置する。したがって、コーナー部材と支柱フレームとの外側面（面取り面）、およびコーナー部材とカバー部材との外側面（面取り面）において、それぞれの外側面（面取り面）があたかも連続しているように突出部が視認されるため、これらの隙間における内部空間側を外部から視認できなくすることができる。これにより、空間構成用構造体におけるコーナー部における遮光性および視覚性を向上することができる。
【００１５】
さらに、前記コーナー部材における下端部には、前記支柱フレームの上端部における前記内部空間に対する内側の位置に突出する突出部が設けられ、前記コーナー部材における前記カバー部材側となる端部には、前記カバー部材における前記内部空間に対する内側の位置に突出する突出部が設けられることができる。これにより、コーナー部材の下端の突出部を支柱フレームの上端部に差し込むとともに、コーナー部材の端部の突出部を覆うように、カバー部材を載置して、カバー部材を梁フレームに固定することで、コーナー部材と支柱フレームとの隙間、および、コーナー部材とカバー部材との隙間に、カバー部材の突出部が位置する。したがって、コーナー部材と支柱フレームとの外側面（面取り面）、およびコーナー部材とカバー部材との外側面（面取り面）において、それぞれの外側面（面取り面）となる面取り面があたかも連続しているように突出部が視認されるため、これらの隙間における内部空間側を外部から視認できなくすることができる。これにより、空間構成用構造体におけるコーナー部における遮光性および視覚性を向上することができる。
【００１６】
さらに、前記コーナー部材と前記カバー部材と前記支柱フレームとにおいて、前記内部空間に対する外側面（面取り面）が曲面とされることができる。これにより、空間構成用構造体の上端に位置するカバー部材表面を曲面から構成して面取り面とし、遮光性を向上するとおもに、外部から見た空間構成用構造体の視覚性を向上し、デザイン性を向上することが可能となる。
【００１７】
さらに、前記コーナー部材における前記内部空間に対する内側に前記連結部材が当接していることができる。これにより、コーナー部材の下端の突出部の外側が支柱フレームの上端部に接しており、コーナー部材の端部の突出部の外側がカバー部材の端部に接しているとともに、カバー部材の内側が連結部材に接しており、これらによって、カバー部材が組み付けられることができる。これにより、コーナー部材を他の部材に取り付ける部品を別に用意する必要がなく、空間構成用構造体における部品点数を削減することが可能となる。
【００１８】
さらに、前記カバー部材には、前記梁フレームにおける前記内部空間に対する内側位置から前記梁フレームに固定する固定部材が設けられ、前記梁フレームにおける前記内部空間に対する内側位置には、前記固定部材を覆うキャップ部材が設けられることができる。これにより、カバー部材を梁フレームに固定する際に、固定部材により空間構成用構造体の内側から固定することができ、さらに、この固定部材をキャップで覆うことで、固定部材が空間構成用構造体の内側から視認されることを防いで、空間構成用構造体の内側をキャップにより面一にすることができる。したがって、空間構成用構造体のデザイン性を向上することができる。
【００１９】
本発明の空間構成用構造体は、前記空間内に設けられ、前記空間から隔離して前記内部空間内で特定の作業を行うためのワークブースであることができる。
これにより、空間構成用構造体の外側である空間から、内部空間を隔離して、内部空間における作業環境を所望の状態に設定してこれを管理することができる。
【発明の効果】
【００２０】
本発明によれば、空間構成用構造体による影の影響を低減して周囲に対する遮光の影響を減少することができ、空間構成用構造体を設置する向きを変更しても遮光による影響範囲の変動を抑制でき、視覚性とデザイン性とを向上可能な空間構成用構造体を提供することができるという効果を奏することが可能となる。
【図面の簡単な説明】
【００２１】
【図１】本発明に係る空間構成用構造体の第１実施形態を示す斜視図である。
【図２】本発明に係る空間構成用構造体の第１実施形態におけるコーナー部を拡大した斜視図（ａ）、異なる方向から拡大した斜視図（ｂ）である。
【図３】図１における梁フレーム等を示す矢視断面図である。
【図４】本発明に係る空間構成用構造体の第１実施形態における梁フレームおよび支柱フレームとパネル部との接続を示す斜視図である。
【図５】本発明に係る空間構成用構造体の第１実施形態における支柱フレームを示す平面図である。
【図６】本発明に係る空間構成用構造体の第１実施形態における連結部材を示す斜視図である。
【図７】本発明に係る空間構成用構造体の第１実施形態における連結部材を連結した状態を示す斜視図である。
【図８】本発明に係る空間構成用構造体の第１実施形態におけるカバー部材を示す斜視図（ａ）、異なる方向から示す斜視図（ｂ）、さらに異なる方向から示す斜視図（ｃ）である。
【図９】本発明に係る空間構成用構造体の第１実施形態の組み立て方法における工程を示すフローチャートである。
【図１０】本発明に係る空間構成用構造体の第１実施形態の組み立て方法における工程を示す斜視図である。
【図１１】本発明に係る空間構成用構造体の第１実施形態の組み立て方法における工程を示す斜視図である。
【図１２】本発明に係る空間構成用構造体の第１実施形態の組み立て方法における工程を示す斜視図である。
【図１３】本発明に係る空間構成用構造体の第１実施形態の組み立て方法における工程を示す斜視図である。
【図１４】本発明に係る空間構成用構造体の第１実施形態における寸法を説明する模式図である。
【図１５】本発明に係る空間構成用構造体の第１実施形態における寸法を説明する模式図である。
【図１６】本発明に係る空間構成用構造体の第１実施形態における照射状態を示す斜視図である。
【図１７】本発明に係る空間構成用構造体の第２実施形態を示す斜視図である。
【図１８】図１７における梁フレーム等を示す矢視断面図である。
【発明を実施するための形態】
【００２２】
以下、本発明に係る空間構成用構造体の第１実施形態を、図面に基づいて説明する。
図１は、本実施形態における空間構成用構造体を示す斜視図であり、図において、符号１０は、空間構成用構造体である。
【００２３】
本実施形態に係る空間構成用構造体１０は、図１に示すように、上側の開口した略四角柱状の外観を有し、平面視した輪郭が矩形とされ、その内側を外部の空間から分離された内部空間として形成するワークブースとされる。
なお、以下の説明においては、図には現れない構成にも符号を付して、説明をおこなう。
【００２４】
本実施形態に係る空間構成用構造体１０は、略四角柱状の角位置に立設された４本の支柱フレーム１１〜１４と、隣接する２本の支柱フレーム１１〜１４の上端部の間に架設された４本の梁フレーム１５〜１８と、これら支柱フレーム１１〜１４と梁フレーム１５〜１８とで形成された側面部分に設けられた面板状のパネル部１９Ａ〜１９Ｄと、を備える。
本実施形態に係る空間構成用構造体１０は、略四角柱状として形成される外形の稜線部分（外形輪郭）が面取りされている。
支柱フレーム１１〜１４は、いずれも略等しい鉛直方向長さを有する。また、支柱フレーム１１〜１４は、パネル部１９Ａ〜１９Ｄの厚さ寸法と略等しい水平方向における幅寸法を有する。
【００２５】
４本の支柱フレーム１１〜１４はいずれも略同一の断面形状とされ、空間構成用構造体１０の四隅で同じ向きに配置されている。
空間構成用構造体１０の正面となる両サイド位置には、支柱フレーム１１と支柱フレーム１２とが立設され、これらの上端部には、梁フレーム１５が略水平方向に架設されている。
空間構成用構造体１０の奥側となる両サイド位置には、支柱フレーム１３と支柱フレーム１４とが立設され、これらの上端部には、梁フレーム１８が略水平方向に架設されている。
【００２６】
空間構成用構造体１０を正面視して左側となる位置には、支柱フレーム１１と支柱フレーム１３とが立設されており、これらの上端部には、梁フレーム１６が略水平方向に架設されている。
空間構成用構造体１０を正面視して右側となる位置には、支柱フレーム１２と支柱フレーム１４とが立設されており、これらの上端部には、梁フレーム１７が略水平方向に架設されている。
【００２７】
支柱フレーム１１と支柱フレーム１２と梁フレーム１５とで形成される正面側には、入退室用の開閉自在なドア１９Ａａを有する正面部（パネル部）１９Ａが設けられる。正面部（パネル部）１９Ａにおいて、ドア１９Ａａは、例えばガラス製とされ、ドア１９Ａａを閉じた状態で、空間構成用構造体１０の内部空間を外部から視認可能なものとされる。ドア１９Ａａは、支柱フレーム１１と同じ上下方向寸法を有する。正面部（パネル部）１９Ａにおいて、ドア１９Ａａ以外の部分には、壁部（パネル部）１９Ａｂが配置されている。
【００２８】
支柱フレーム１３と支柱フレーム１４と梁フレーム１８とで形成される奥側には、奥面部（パネル部）１９Ｂが設けられる。奥面部（パネル部）１９Ｂは、支柱フレーム１３と支柱フレーム１４と梁フレーム１８とに３辺を接続された面板とされ、外部から視認可能なガラス製、あるいは、支柱フレーム１１〜１４の水平方向の幅寸法とほぼ等しい厚み寸法を有する板体とされることができる。
【００２９】
支柱フレーム１１と支柱フレーム１３と梁フレーム１６とで形成される左側には、左面部（パネル部）１９Ｃが設けられる。左面部（パネル部）１９Ｃは、支柱フレーム１１と支柱フレーム１３とが梁フレーム１６とに３辺を接続された面板とされ、支柱フレーム１１〜１４の水平方向の幅寸法とほぼ等しい厚み寸法を有する板体とされる。
【００３０】
支柱フレーム１２と支柱フレーム１４と梁フレーム１７とで形成される右側には、右面部（パネル部）１９Ｄが設けられる。右面部（パネル部）１９Ｄは、支柱フレーム１２と支柱フレーム１４とが梁フレーム１７とに３辺を接続された面板とされ、支柱フレーム１１〜１４の水平方向の幅寸法とほぼ等しい厚み寸法を有する板体とされる。
【００３１】
支柱フレーム１１〜１４の外側面（面取り面）１１ａ〜１４ａは、水平方向に曲率を有する曲面とされ、上下方向の全長で同じ形状として連続している。外側面（面取り面）１１ａ〜１４ａは、外側に凸となる曲面とされる。外側面（面取り面）１１ａ〜１４ａは、水平断面が円弧状となる輪郭を有する。外側面（面取り面）１１ａ〜１４ａは、四角柱状の空間構成用構造体１０における角を丸めた形状に対応している。
【００３２】
梁フレーム１５〜１８は、その全長にわたってそれぞれカバー部材２５〜２８で覆われている。カバー部材２５〜２８は、その外側面（面取り面）２５ａ〜２８ａが支柱フレーム１１〜１４の外側面（面取り面）１１ａ〜１４ａと同様に、カバー部材２５〜２８の幅方向断面が円弧状となる輪郭を有する。カバー部材２５〜２８の外側面（面取り面）２５ａ〜２８ａは、下端から上方向に向けて、空間構成用構造体１０における水平断面輪郭が小さくなるように傾斜した曲面とされている。
梁フレーム１５〜１８とカバー部材２５〜２８とは、それぞれ梁部を形成する。
【００３３】
空間構成用構造体１０の上端部において、その四隅では、支柱フレーム１１〜１４と梁フレーム１５〜１８とが連結されている。
【００３４】
支柱フレーム１１と梁フレーム１５と梁フレーム１６との連結された空間構成用構造体１０の左側正面の隅（コーナー部）においては、支柱フレーム１１の外側面（面取り面）１１ａと、梁フレーム１５を覆うカバー部材２５の外側面（面取り面）２５ａと、梁フレーム１６を覆うカバー部材２６の外側面（面取り面）２６ａとをそれぞれ接続するコーナー部材２１が設けられる。
【００３５】
支柱フレーム１２と梁フレーム１５と梁フレーム１７との連結された空間構成用構造体１０の右側正面の隅（コーナー部）においては、支柱フレーム１２の外側面（面取り面）１２ａと、梁フレーム１５を覆うカバー部材２５の外側面（面取り面）２５ａと、梁フレーム１７を覆うカバー部材２７の外側面（面取り面）２７ａとをそれぞれ接続するコーナー部材２２が設けられる。
【００３６】
支柱フレーム１３と梁フレーム１８と梁フレーム１６との連結された空間構成用構造体１０の左側奥側の隅（コーナー部）においては、支柱フレーム１３の外側面（面取り面）１３ａと、梁フレーム１８を覆うカバー部材２８の外側面（面取り面）２８ａと、梁フレーム１６を覆うカバー部材２６の外側面（面取り面）２６ａとをそれぞれ接続するコーナー部材２３が設けられる。
【００３７】
支柱フレーム１４と梁フレーム１８と梁フレーム１７との連結された空間構成用構造体１０の右側奥側の隅（コーナー部）においては、支柱フレーム１４の外側面（面取り面）１４ａと、梁フレーム１８を覆うカバー部材２８の外側面（面取り面）２８ａと、梁フレーム１７を覆うカバー部材２７の外側面（面取り面）２７ａとをそれぞれ接続するコーナー部材２４が設けられる。
【００３８】
図２（ａ）は、本実施形態における空間構成用構造体におけるコーナー部を拡大した斜視図である。
空間構成用構造体１０における支柱フレーム１１の上端となるコーナー部には、図２（ａ）に示すように、コーナー部材２１が配置される。コーナー部材２１の外側面（面取り面）２１ａは、それぞれ支柱フレーム１１の外側面（面取り面）１１ａと、カバー部材２５の外側面（面取り面）２５ａと、カバー部材２６の外側面（面取り面）２６ａと面一になるように連続性を有する外側に向けて凸状となる曲面状に形成される。コーナー部材２１の外側面（面取り面）２１ａは、例えば、球面に近しい形状とされることができる。
【００３９】
空間構成用構造体１０の上端部における四隅は、略同一の構造であるので、ここでは、支柱フレーム１１と梁フレーム１５と梁フレーム１６とが連結されてコーナー部材２１が配置された左側正面において説明した。他の３つの隅においては、それぞれコーナー部材２１をコーナー部材２２〜２４に対応させて、支柱フレーム１１と梁フレーム１５，１６との符号を対応する符号に読みかえるものとする。
【００４０】
図２（ｂ）は、本実施形態における空間構成用構造体におけるコーナー部を図２（ａ）とは異なる方向から拡大した斜視図である。
空間構成用構造体１０における支柱フレーム１１の上端となるコーナー部においては、図２（ｂ）に示すように、内部空間側で、梁フレーム１５と梁フレーム１６とが露出するように端部どうしが突き合わされている。梁フレーム１５と梁フレーム１６とには、空間構成用構造体１０の内部空間側に延在する溝１５ａ，１６ａが形成されており、梁フレーム１５と梁フレーム１６との内部空間側が面一となるように、溝１５ａ，１６ａにはキャップ部材３５，３６が嵌め込まれている。溝１５ａ，１６ａは、それぞれ梁フレーム１５、１６の全長に形成される。
なお、図２（ｂ）においては、キャップ部材３５が溝１５ａから取り外された状態を図示している。
【００４１】
次に、梁フレーム、カバー部材、および、キャップ部材について説明する。ここでは、空間構成用構造体１０のコーナー部材２４をコーナー部材２３側から見た断面で説明する。
【００４２】
図３は、本実施形態における空間構成用構造体において梁フレームを図１におけるＩＩＩ−ＩＩＩ矢視した断面図である。
梁フレーム１８は、図３に示すように、その全長で同一の断面形状を有している。梁フレーム１８は、略水平に組み付けられる下板部１８ｈと、下板部１８ｈの内側空間側となる端部１８ｈ１に立設された内壁部１８ｂと、を有する。
【００４３】
下板部１８ｈは、梁フレーム１８の全長で同一の幅寸法とされる。下板部１８ｈの幅寸法は、奥面部（パネル部）１９Ｂの厚さ寸法よりも小さく設定され、空間構成用構造体１０の外側となる部分は、カバー部材２８の下端板部２８ｂが奥面部（パネル部）１９Ｂと直接接触するように配置されている。
【００４４】
下板部１８ｈには、幅方向の中央位置に貫通孔１８ｈｂが設けられ、貫通孔１８ｈｂを貫通した締結ボルト、ビス、ねじ等の連結手段（接続部材）Ｂ３が螺合されて、梁フレーム１８と奥面部（パネル部）１９Ｂとを固定する。ここで、図３に対応する連結手段（接続部材）Ｂ３を図示し、また、図４に対応する貫通孔１５ｈｂを図示する。
【００４５】
接続部１８ｃは、梁フレーム１８の長さ方向に延在する溝が、梁フレーム１８の端部位置において連結部材４４と接続するための螺合穴とされる。接続部１８ｃの溝には、連結部材４４を貫通した締結ボルト、ビス、ねじ等の連結手段（接続部材）Ｂが螺合されて、梁フレーム１８と連結部材４４とを固定する（図７に対応する連結手段（接続部材）Ｂを図示）。
【００４６】
内壁部１８ｂは、端部１８ｈ１から略鉛直に立ち上がる内壁基部１８ｂ１と、高さ方向中間位置に溝１８ａを介して内壁基部１８ｂ１と面一に形成された内壁上部１８ｂ２とを有する。
溝１８ａは、鉛直な梁フレーム１８の幅方向断面が矩形とされており、内壁基部１８ｂ１の上端部に接続されて略水平な溝下部１８ａ１と、溝下部１８ａ１から立設されて内壁基部１８ｂ１および内壁上部１８ｂ２と平行な溝奥部１８ａ２と、溝奥部１８ａ２の上端部に接続されるとともに内壁上部１８ｂ２の下端に接続された略水平な溝上部１８ａ３と、によって、内壁部１８ｂから凹んだ溝状に形成されている。溝奥部１８ａ２には、その外側、つまり、内側空間側とは反対側となる位置に、後述するように、カバー部材２８が取り付けられる。
【００４７】
溝上部１８ａ３には、その上外側、つまり、内側空間側とは反対側となる端部１８ｈ２の上側位置には、上方の開口した溝を有する突条として接続部１８ｄがその全長に設けられる。
接続部１８ｄは、接続部１８ｃと同様に、梁フレーム１８の長さ方向に延在する溝が、梁フレーム１８の端部位置において連結部材４４と接続するための螺合穴とされる。接続部１８ｄの溝には、連結部材４４を貫通した締結ボルト、ビス、ねじ等の連結手段（接続部材）Ｂが螺合されて、梁フレーム１８と連結部材４４とを固定する（図７に対応する連結手段（接続部材）Ｂを図示）。
【００４８】
溝１８ａは、内側空間側を覆うキャップ部材３８によって内側空間に面した開口のほぼ全てが閉塞される。キャップ部材３８は、溝１８ａの開口部分を覆うキャップ板３８ａと、キャップ板３８ａの上下で溝１８ａの内側に差し込んで、溝下部１８ａ１と溝上部１８ａ３とに対して接触し、キャップ部材３８を嵌合固定するキャップ下部３８ｂとキャップ上部３８ｃとを有する。
【００４９】
キャップ下部３８ｂとキャップ上部３８ｃとは、その先端が、溝１８ａの上下方向寸法よりも小さくなるように傾斜しており、キャップ部材３８を溝１８ａに挿入しやすくなっている。
キャップ下部３８ｂとキャップ上部３８ｃとは、その先端が、溝下部１８ａ１と溝上部１８ａ３とに設けられた凸部１８ａ１１と凸部１８ａ３１とに当接して、キャップ板３８ａが内壁部１８ｂと面一となるように位置規制可能とされる。
【００５０】
キャップ下部３８ｂには、溝下部１８ａ１と接触する側に凸部３８ｂ３が設けられ、溝下部１８ａ１側に設けられた凹部１８ａ１３と嵌合する。
キャップ上部３８ｃには、溝上部１８ａ３と接触する側に凸部３８ｃ３が設けられ、溝上部１８ａ３側に設けられた凹部１８ａ１４と嵌合する。
凸部３８ｂ３と凹部１８ａ１３の嵌合、および、凸部３８ｃ３と凹部１８ａ１４の嵌合によって、キャップ部材３８が溝１８ａ内に嵌め込まれた状態を維持できる。
【００５１】
なお、キャップ下部３８ｂと溝下部１８ａ１、および、キャップ上部３８ｃと溝上部１８ａ３の間での取り付け位置設定は、キャップ部材３８が溝１８ａ内に嵌め込んでキャップ板３８ａと内壁部１８ｂとが面一の状態を維持可能であれば、上記の構造に限定されるものではない。
【００５２】
カバー部材２８は、図３に示すように、その全長で同一の断面形状を有している。カバー部材２８は、外側面（面取り面）２８ａを形成する曲面部２８ｋが断面円弧状に形成される。曲面部２８ｋにおいては、外側面（面取り面）２８ａの下端が奥面部（パネル部）１９Ｂの面方向と略等しく、外側面（面取り面）２８ａの上端が水平面と略等しくなるように湾曲している。曲面部２８ｋは、その全体で厚み寸法が略均一とされる。
【００５３】
曲面部２８ｋの下端位置には、梁フレーム１８の下板部１８ｈと面一となるように、下端板部２８ｂが設けられる。下端板部２８ｂの幅寸法は、奥面部（パネル部）１９Ｂの厚さ寸法よりも小さく設定され、空間構成用構造体１０の内側となる部分では、下板部１８ｈが直接的に奥面部（パネル部）１９Ｂと当接して、梁フレーム１８に対するカバー部材２８の位置設定が可能なように配置されている。下端板部２８ｂと下板部１８ｈとの幅寸法は、合わせて奥面部（パネル部）１９Ｂの厚さ寸法と略等しくなるように設定されている。
下端板部２８ｂの内側空間方向の端部は、下板部１８ｈの外側（内側空間と反対方向）の端部の切欠に当接して上下方向の位置が設定されている。
【００５４】
下端板部２８ｂには、固定支持部２８ｃが立設されている。固定支持部２８ｃの上端側は、梁フレーム１８の内壁部１８ｂに近接するとともに、接続部１８ｃと接触しないようにその形状が設定される。固定支持部２８ｃの上端には、固定部２８ｄが設けられている。
固定部２８ｄは、溝奥部１８ａ２の裏面、つまり、溝奥部１８ａ２における溝１８ａと反対側となる裏面に当接するように設けられる。固定部２８ｄは、溝奥部１８ａ２と略平行な板体とされる。固定部２８ｄと溝奥部１８ａ２とにおいては、それぞれの対応する位置に、固定孔２８ｄ１および固定孔１８ａ５が設けられている。
【００５５】
固定孔２８ｄ１および固定孔１８ａ５を貫通するように、締結ボルト、ビス、ねじ等の固定部材Ｂ１によって内部空間に対する内側位置から固定することで、カバー部材２８を梁フレーム１８に固定することが可能となる。
また、図３に図示した固定孔１８ａ５に対応して、図２（ｂ）に梁フレーム１５の固定孔１５ａ５が示される。なお、図２（ｂ）において、固定部材Ｂ１を省略している。
【００５６】
曲面部２８ｋの上端位置は、梁フレーム１８の内壁上部１８ｂ２の上端側に当接する上端当接部２８ｅとされる。上端当接部２８ｅの先端は、その内側空間側が内壁上部１８ｂ２と面一になるように形成される。上端当接部２８ｅの下側位置には、内壁上部１８ｂ２の裏面、つまり、内側空間側とは反対側となる面に当接するように、位置規制部２８ｆが下方に向けて形成される。位置規制部２８ｆの下端には、内壁上部１８ｂ２の裏面と接触する側に凸部２８ｆ３が設けられ、内壁上部１８ｂ２の裏面側に設けられた凹部１８ｂ５と嵌合する。
【００５７】
次に、支柱フレーム、連結部材、コーナー部材、およびパネル部との接続について説明する。ここでは、支柱フレーム１１に対応するコーナー部分について説明する。
【００５８】
図４は、本実施形態における空間構成用構造体の梁フレームおよび支柱フレームとパネル部との接続を示す斜視図である。図５は、本実施形態における空間構成用構造体における支柱フレームを示す平面図である。
支柱フレーム１１は、図５に示すように、中空のパイプ状とされ、上下方向の全長で同じ断面形状として連続している。支柱フレーム１１は、断面円弧状の外側面（面取り面）１１ａを形成する円弧状部１１ｂと、左面部（パネル部）１９Ｃ側の板面部１１ｃと、正面部（パネル部）１９Ａ側の板面部１１ｄと、を有する。
【００５９】
これら円弧状部１１ｂと板面部１１ｃと板面部１１ｄとが連結された断面輪郭形状として、略四分円の扇形輪郭となるように形成される。
板面部１１ｃと板面部１１ｄとは、互いに略直交するように断面端部が接続され、円弧状部１１ｂと板面部１１ｃ、円弧状部１１ｂと板面部１１ｄも、それぞれ互いに略直交するように断面端部が接続されている。
【００６０】
板面部１１ｃの幅方向中央部には、左面部（パネル部）１９Ｃの反対側となる支柱フレーム１１の断面中心側に、肉厚部１１ｃ１が突条として形成される。
板面部１１ｄの幅方向中央部には、正面部（パネル部）１９Ａの反対側となる支柱フレーム１１の断面中心側に、肉厚部１１ｄ１が突条として形成される。
肉厚部１１ｃ１の板面部１１ｄ側と、肉厚部１１ｄ１の板面部１１ｃ側とは互いに架橋するように中板部１１ｅによって連結される。
【００６１】
板面部１１ｃには、図４，図５に示すように、幅方向の中央位置に貫通孔１１ｃｂが設けられ、貫通孔１１ｃｂを貫通した締結ボルト、ビス、ねじ等の連結手段（接続部材）Ｂ４が螺合されて、梁フレーム１８と左面部（パネル部）１９Ｃとを固定する。
板面部１１ｄには、同様に、幅方向の中央位置に貫通孔１１ｄｂが設けられ、貫通孔１１ｄｂを貫通した締結ボルト、ビス、ねじ等の連結手段（接続部材）Ｂ４が螺合されて、梁フレーム１８と正面部（パネル部）１９Ａとを固定する。なお、図４，図５において、連結手段（接続部材）Ｂ４を省略している。
【００６２】
中板部１１ｅの幅方向中央部には、内部空間に向かう方向の開口した溝を有する突条として接続部１１ｆがその全長に設けられる。
接続部１１ｆは、接続部１８ｃ，１８ｄと同様に、支柱フレーム１１の長さ方向に延在する溝が、支柱フレーム１１の上端位置において連結部材４１と接続するための螺合穴とされる。接続部１１ｆの溝には、連結部材４１を貫通した締結ボルト、ビス、ねじ等の連結手段（接続部材）Ｂが螺合されて、支柱フレーム１１と連結部材４１とを固定する（図７に対応する連結手段（接続部材）Ｂを図示）。
【００６３】
連結部材４１〜４４は、それぞれ、支柱フレーム１１〜１４の上端部位置に連結され、それぞれ対応する梁フレーム１６〜１８のうちの２本と連結される。
連結部材４１〜４４とコーナー部材２１〜２４とはそれぞれ連結部を形成する。
連結部材４１〜４４は、いずれも略同一な構成とされるため、ここでは連結部材４１を例示して説明する。
図６は、本実施形態における空間構成用構造体における連結部材を示す斜視図である。図７は、本実施形態における空間構成用構造体における連結部材を連結した状態を示す斜視図である。
【００６４】
連結部材４１は、支柱フレーム１１と梁フレーム１６と梁フレーム１５とを連結する。
連結部材４１は、図５，図６に示すように、支柱フレーム１１に当接する略水平の底板部４１ａと、梁フレーム１６に当接するように底板部４１ａから立設された縦板部４１ｂと、梁フレーム１５に当接するように底板部４１ａから立設された横板部４１ｃと、を有する。底板部４１ａと縦板部４１ｂと横板部４１ｃとの厚さ寸法は、略同一とすることができる。
底板部４１ａは、平面視した輪郭形状として、略四分円の扇形輪郭となるように形成される。
【００６５】
底板部４１ａの平面視した外側端部４１ａ１は、その輪郭形状、つまり、空間構成用構造体１０の内部空間と反対側の輪郭形状が、支柱フレーム１１の外側面（面取り面）１１ａに対応して、ほぼ同じ弧状輪郭とされている。なお、外側端部４１ａ１の形状は、後述するように、支柱フレーム１１における円弧状部１１ｂの内側面との間に、平面視して隙間Ｖを形成するように円弧状部１１ｂよりも小さい径寸法の弧状として形成される。
【００６６】
底板部４１ａと縦板部４１ｂとの接合部４１ａｂは、扇形輪郭における半径部分によって構成されて略水平な直線状に形成され、底板部４１ａと縦板部４１ｂとが直交するように接合されている。
底板部４１ａと横板部４１ｃとの接合部４１ａｃは、扇形輪郭における半径部分によって構成されて略水平な直線状に形成され、底板部４１ａと横板部４１ｃとが直交するように接合されている。
【００６７】
縦板部４１ｂと横板部４１ｃとの接合部４１ｂｃは、扇形輪郭における半径部分によって構成されて略鉛直な直線状に形成され、縦板部４１ｂと横板部４１ｃとが直交するように接合されている。
これにより、底板部４１ａ、縦板部４１ｂおよび横板部４１ｃそれぞれの扇形輪郭における円弧部分によって、コーナー部材２１が当接する概略三角形状の外縁が形成されている。
連結部材４１は、板状体を折り曲げて形成する場合には、上記の接合部４１ａｂ，４１ａｃ，４１ｂｃのうちいずれかが、端部が接触した状態とされてもよい。
【００６８】
縦板部４１ｂの正面視した外側端部４１ｂ１は、その輪郭形状、つまり、空間構成用構造体１０の内部空間から離間する側の輪郭形状が、カバー部材２６の外側面（面取り面）２６ａに対応して、弧状輪郭とされている。なお、外側端部４１ｂ１の形状は、後述するように、カバー部材２６の曲面部２６ｋの内側面に、外側端部４１ｂ１の全長が当接可能なように曲面部２６ｋの内側面よりも小さい径寸法の弧状として形成される。
【００６９】
横板部４１ｃの側面視した外側端部４１ｃ１は、その輪郭形状、つまり、空間構成用構造体１０の内部空間から離間する側の輪郭形状が、カバー部材２５の外側面（面取り面）２５ａに対応して、弧状輪郭とされている。なお、外側端部４１ｃ１の形状は、後述するように、カバー部材２５の曲面部２５ｋの内側面に、外側端部４１ｃ１の全長が当接可能なように曲面部２５ｋの内側面よりも小さい径寸法の弧状として形成される。
【００７０】
底板部４１ａと縦板部４１ｂと横板部４１ｃとは、互いに直交するように配置されており、接合部４１ａｂと接合部４１ｂｃと接合部４１ｂｃとが、空間構成用構造体１０の内部空間側の同一箇所で交わるように構成される。
底板部４１ａには、支柱フレーム１１と連結部材４１とを連結する連結孔４１ｄが接続部１１ｆに対応した位置に設けられる。
【００７１】
縦板部４１ｂには、梁フレーム１６と連結部材４１とを連結する連結孔４１ｅが接続部１６ｃに対応した位置に設けられ、梁フレーム１６と連結部材４１とを連結する連結孔４１ｆが接続部１６ｄに対応した位置に設けられる。
横板部４１ｃには、梁フレーム１５と連結部材４１とを連結する連結孔４１ｇが接続部１５ｃに対応した位置に設けられ、梁フレーム１５と連結部材４１とを連結する連結孔４１ｈが接続部１５ｄに対応した位置に設けられる。
【００７２】
底板部４１ａには、連結孔４１ｄ、接合部４１ａｂおよび接合部４１ａｃから離間した位置に、貫通部４１ｊが設けられる。
縦板部４１ｂと横板部４１ｃとには、連結孔４１ｅ〜４１ｈから離間する位置で、接合部４１ｂｃを跨ぐように貫通部４１ｋが設けられる。
貫通部４１ｊおよび貫通部４１ｋは、たとえば、必要な配線を通すために設けられる。また、連結部材４１を軽量化するために設けられることもできる。貫通部４１ｊおよび貫通部４１ｋの輪郭形状および配置等は、連結部材４１の強度に影響を及ぼさなければ任意に設定できる。
【００７３】
コーナー部材２１は、支柱フレーム１１の上端部に取り付けられる。
図８（ａ）〜（ｃ）は、本実施形態の空間構成用構造体におけるコーナー部材をそれぞれ異なる方向視して示す斜視図である。
コーナー部材２１は、図８（ａ）〜（ｃ）に示すように、外側面（面取り面）２１ａを形成する曲面部２１ｂと、曲面部２１ｂの下端部２１ｂ１から突出する突出部２１ｃと、カバー部材２６側の縦端部２１ｂ２から突出する突出部２１ｄと、カバー部材２５側の横端部２１ｂ３から突出する突出部２１ｅと、を有する。
【００７４】
曲面部２１ｂは、連結部材４１で連結された支柱フレーム１１の上端部とカバー部材２６，２５との間で、これらをなめらかに繋ぐように形状設定可能である。
曲面部２１ｂの下端部２１ｂ１は、支柱フレーム１１の上端部に合わせて、水平方向視して直線に見えるように円弧状に形成される。
【００７５】
曲面部２１ｂの縦端部２１ｂ２は、カバー部材２６側の前側端部に合わせて、側面視して直線に見えるように円弧状に形成される。
曲面部２１ｂの横端部２１ｂ３は、カバー部材２５側の左側端部に合わせて、側面視して直線に見えるように円弧状に形成される。
曲面部２１ｂは、下端部２１ｂ１と縦端部２１ｂ２と横端部２１ｂ３とによって、三角形を曲面にしたような輪郭形状とされる。曲面部２１ｂは、略均一な厚さ寸法とされる。
【００７６】
曲面部２１ｂと突出部２１ｃと突出部２１ｄと突出部２１ｅとは、いずれも空間構成用構造体１０の内側空間に向いた内面２１ｇが、なめらかな曲面とされている。
突出部２１ｃと突出部２１ｄと突出部２１ｅとは、いずれも曲面部２１ｂよりも薄肉化され、突出部２１ｃと下端部２１ｂ１、突出部２１ｄと縦端部２１ｂ２、突出部２１ｅと横端部２１ｂ３は、それぞれが段差を形成している。
【００７７】
また、突出部２１ｃと突出部２１ｄと突出部２１ｅとは、いずれも、略均一な幅方向寸法とされる。ここで、突出部２１ｃの幅方向は、曲面部２１ｂの中心から支柱フレーム１１に向かう方向、つまり、上下方向とされる。
突出部２１ｄの幅方向は、曲面部２１ｂの中心からカバー部材２６に向かう方向、つまり、空間構成用構造体１０の前後方向とされる。
突出部２１ｅの幅方向は、曲面部２１ｂの中心からカバー部材２５に向かう方向、つまり、空間構成用構造体１０の左右方向とされる。
【００７８】
支柱フレーム１１〜１４および梁フレーム１５〜１８は、いずれもアルミ合金等の金属製の押し出し材とされることができる。カバー部材２５〜２８、キャップ部材３５〜３８およびコーナー部材２１〜２４は、例えば樹脂製とすることができる。連結部材４１〜４４、連結手段（接続部材）Ｂおよび連結手段（接続部材）Ｂ３，Ｂ４は、例えば、スチール材とすることができる。
【００７９】
梁フレーム１５〜１８および連結部材４１〜４４は、環状構造体を形成している。本実施形態においては、環状構造体は略矩形形状とされている。環状構造体は梁部と連結部とからなる。また、支柱フレーム１１〜１４は、この環状構造体から垂下して形成されている。環状構造体と支柱フレーム１１〜１４との連結位置は、コーナー部とされている。これらにより、本実施形態における空間構成用構造体１０の強度が維持される。
【００８０】
なお、環状構造体および支柱フレーム１１〜１４が充分な強度を有している場合、あるいは、外観デザイン性や製造容易性等からの要請がある場合、これらの材質を適宜変更することが可能である。
【００８１】
本実施形態における空間構成用構造体１０は、オフィス内のワーキングブース、テレビ電話用のブース、あるいは、会議・打合せ用のブースなどとして、例えば、オフィスなどの壁あるいは天井から離間した状態に設置することができる。この際、空間構成用構造体１０の内部は、パネル部１９Ａ〜１９Ｄによって、外部から分離されるとともに、空間構成用構造体１０の上部は開口した状態で外部と連通している。また、ドア１９Ａａを開閉することで入退室および外部からの閉塞状態が可能となる。
【００８２】
本実施形態における空間構成用構造体１０は、梁フレーム１５〜１８と支柱フレーム１１〜１４とで形成された角部にパネル部１９Ａ〜１９Ｄが位置するように接続されているため、梁フレーム１５〜１８と支柱フレーム１１〜１４とが直接接続していなくても十分な強度を有する。
【００８３】
本実施形態における空間構成用構造体１０は、連結部材４１〜４４により連結された支柱フレーム１１〜１４および梁フレーム１５〜１８によって、充分な強度を有することができる。また、上部が天井板などで閉塞されていないとともに、床板が設けられていないため、これらの上下位置における板体を有する構成に比べて、軽量化を図り、その組み立て作業時間を短縮することが可能となる。
【００８４】
また、支柱フレーム１１〜１４の外側面（面取り面）１１ａ〜１４ａ、カバー部材２５〜２８の外側面（面取り面）２５ａ〜２７ａ、およびコーナー部材２１〜２４の外側面（面取り面）２１ａ〜２４ａがいずれも曲面から構成されていることにより、外側から視認した際に、角部がいずれも丸められた四角柱状として視認されるために、平面のみで構成されたものに比べて柔らかい視認性を有し、デザイン性を向上することが可能となる。空間構成用構造体１０の上側が内側に向かう曲面となるため、柔らかな見た目とすることが可能となるなど、意匠形成の幅が広くなる。
【００８５】
さらに、梁フレーム１５〜１８における内部空間に露出する面が、キャップ部材３５〜３８によって、パネル部１９Ａ〜１９Ｄと面一となることにより、空間構成用構造体１０の内部空間側からの視認性を向上し、デザイン性を向上することが可能となる。
【００８６】
以下、本実施形態における空間構成用構造体の組み立て方法を説明する。
【００８７】
図９は、本実施形態における空間構成用構造体の組み立て方法における工程を示すフローチャートである。図１０〜図１３は、本実施形態における空間構成用構造体の組み立て方法における工程を示す斜視図である。
本実施形態における空間構成用構造体１０の組み立て方法は、図９に示すように、フレーム組み立て工程Ｓ１と、パネル部組み立て工程Ｓ２と、コーナー載置工程Ｓ３と、カバー載置工程Ｓ４と、カバー固定工程Ｓ５と、キャップ工程Ｓ６と、を備える。
【００８８】
まず、図９に示すフレーム組み立て工程Ｓ１においては、支柱フレーム１１〜１４と、梁フレーム１５〜１８と、連結部材４１〜４４と、を連結する。
具体的には、まず、支柱フレーム１１の上端部に、連結部材４１を連結する。このとき、底板部４１ａの連結孔４１ｄを貫通した連結手段（接続部材）Ｂを接続部１１ｆに螺合する。また、底板部４１ａの外側端部４１ａ１と、支柱フレーム１１における円弧状部１１ｂの内側面との間に形成された隙間Ｖの幅寸法が、円弧に沿った位置で、いずれも均等になるように取り付ける。
【００８９】
次いで、連結部材４１と梁フレーム１６とを連結する。このとき、縦板部４１ｂの連結孔４１ｆを通した連結手段（接続部材）Ｂを接続部１６ｄに螺合する。同時に、縦板部４１ｂの連結孔４１ｅを通した連結手段（接続部材）Ｂを接続部１６ｃに螺合する。
【００９０】
次いで、連結部材４１と梁フレーム１５とを連結する。このとき、横板部４１ｃの連結孔４１ｈを通した連結手段（接続部材）Ｂを接続部１５ｄに螺合する。同時に、横板部４１ｃの連結孔４１ｇを通した連結手段（接続部材）Ｂを接続部１５ｃに螺合する。
【００９１】
同様にして、梁フレーム１５と連結部材４２とを連結する。さらに、連結部材４２と支柱フレーム１２とを連結する。
【００９２】
同様にして、支柱フレーム１４と連結部材４４とを連結する。さらに、連結部材４４と梁フレーム１８とを連結する。梁フレーム１８と連結部材４３とを連結する。
また、連結部材４４と梁フレーム１７とを連結する。
このようにコ字状に組み立てられた支柱フレーム１１，１２、梁フレーム１５を、例えば、水平状態として置いたときに、梁フレーム１６は略鉛直に立ち上がっている。同様に、コ字状に組み立てられた支柱フレーム１３，１４、梁フレーム１８を、例えば、水平状態として置いたときに、梁フレーム１７は略鉛直に立ち上がっている。
【００９３】
これらを支柱フレーム１１〜１４が鉛直になるようにして、梁フレーム１６を連結部材４３に連結し、梁フレーム１７を連結部材４２に連結して、略四角柱状である内部空間の境界を形成する。
なお、支柱フレーム１１〜１４，梁フレーム１５〜１８の組み立て順は、上記の順番に限定されるものではなく、支柱フレーム１１〜１４と梁フレーム１５〜１８とで内部空間の境界を形成していればよい。
【００９４】
次に、パネル部組み立て工程Ｓ２として、略四角柱状に組み立てられた支柱フレーム１１〜１４，梁フレーム１５〜１８に、パネル部１９Ａ〜１９Ｄを取り付けて、図１０に示す状態とする。
【００９５】
次に、コーナー載置工程Ｓ３として、図１０に破線で示すように、コーナー部材２１を支柱フレーム１１および連結部材４１の上に載置する。
このとき、コーナー部材２１の下端部２１ｂ１から突出する突出部２１ｃを、底板部４１ａの外側端部４１ａ１と、支柱フレーム１１における円弧状部１１ｂの内側面との間に形成された隙間Ｖに挿入し、図１１に示す状態とする。これにより、突出部２１ｃが、外側端部４１ａ１と円弧状部１１ｂの内側面とによって位置規制されて、コーナー部材２１の載置位置が安定する。また、隙間Ｖに突出部２１ｃが挿入されていることで、コーナー部材２１が外れてしまうことがない。
【００９６】
また、支柱フレーム１１における外側面（面取り面）１１ａと、コーナー部材２１の外側面（面取り面）２１ａとの間には、突出部２１ｃの段差分だけ奥まった位置の全域に、突出部２１ｃが位置している。これにより、空間構成用構造体１０を外部から見た際に、支柱フレーム１１における外側面（面取り面）１１ａと、コーナー部材２１の外側面（面取り面）２１ａとの間に外観上隙間が生じることがなく、外側面（面取り面）１１ａと外側面（面取り面）２１ａとを連続して視認することが可能となる。
【００９７】
このとき、コーナー部材２１の内面２１ｇは、縦板部４１ｂの外側端部４１ｂ１と、横板部４１ｃの外側端部４１ｃ１とに当接する。これにより、コーナー部材２１の載置位置が安定する。
なお、載置されたコーナー部材２１において、突出部２１ｄは、縦板部４１ｂの外側端部４１ｂ１よりも梁フレーム１６側に突出している。同様に、突出部２１ｅは、横板部４１ｃの外側端部４１ｃ１よりも梁フレーム１５側に突出している。
【００９８】
同様にして、さらに、コーナー部材２２〜２４を支柱フレーム１２〜１４および連結部材４２〜４４の上にそれぞれ載置する。
【００９９】
次に、カバー載置工程Ｓ４として、図１２に破線で示すように、カバー部材２５を梁フレーム１５に載置する。
このとき、梁フレーム１５の両端位置には、コーナー部材２１およびコーナー部材２２が載置されている。カバー部材２５は、曲面部２５ｋの両端がコーナー部材２１の突出部２１ｅとコーナー部材２２の突出部２２ｄとを覆うように載置される。
【０１００】
同時に、カバー部材２５は、曲面部２５ｋの下端において、下端板部２５ｂが梁フレーム１５の下板部１５ｈと面一となるように載置される。また、カバー部材２５は、下端板部２５ｂの内側空間方向の端部が、下板部１５ｈの外側（内側空間と反対方向）の端部に当接するように載置される。
同時に、カバー部材２５は、曲面部２５ｋの上端付近において、上端当接部２５ｅが、梁フレーム１５の内壁上部１５ｂ２の上端側に当接するように載置される。
【０１０１】
また、カバー部材２５は、固定部２５ｄが溝奥部１５ａ２に当接するように載置される。カバー部材２５は、固定孔２５ｄ１が固定孔１５ａ５に対応して、固定孔１５ａ５と固定孔２５ｄ１とに固定部材Ｂ１を貫通可能な位置に載置される。
【０１０２】
上記の、カバー部材２５において、曲面部２５ｋの両端が突出部２１ｅと突出部２２ｄとに当接し、曲面部２５ｋの下端板部２５ｂが下板部１５ｈに当接し、固定部２５ｄが溝奥部１５ａ２に当接することにより、カバー部材２５は梁フレーム１５に対する載置位置を規定される。
【０１０３】
同時に、曲面部２５ｋの内側端部が突出部２１ｅに当接する。カバー部材２５の外側面（面取り面）２５ａとコーナー部材２１の外側面（面取り面）２１ａとの間には、突出部２１ｅが位置する。空間構成用構造体１０を外部から見た際に、カバー部材２５の外側面（面取り面）２５ａとコーナー部材２１の外側面（面取り面）２１ａとの間に外観上隙間が生じることがない。
【０１０４】
同様に、曲面部２５ｋの内側端部が突出部２２ｄに当接する。カバー部材２５の外側面（面取り面）２５ａとコーナー部材２２の外側面（面取り面）２２ａとの間には、突出部２２ｄが位置する。空間構成用構造体１０を外部から見た際に、カバー部材２５の外側面（面取り面）２５ａとコーナー部材２２の外側面（面取り面）２２ａとの間に外観上隙間が生じることがない。
【０１０５】
次に、カバー固定工程Ｓ５として、固定孔２５ｄ１および固定孔１５ａ５に、内部空間に対する内側位置から締結ボルト、ビス、ねじ等の固定部材Ｂ１を貫通させて固定する。（図３に記載された固定孔２８ｄ１および固定孔１８ａ５参照）これにより、カバー部材２５を梁フレーム１５に対して固定する。
【０１０６】
次に、キャップ工程Ｓ６として、キャップ部材３５を溝１５ａに挿入して、固定孔１５ａ５から露出している固定部材Ｂ１を隠蔽する。
このとき、キャップ下部３５ｂとキャップ上部３５ｃとを、溝下部１５ａ１と溝上部１５ａ３とに対して接触させる。同時に、凸部３５ｂ３と凹部１５ａ１３、凸部３５ｃ３と凹部１５ａ１４の嵌合によって、キャップ部材３５が溝１５ａ内に嵌め込んだ状態とされる。（図３に記載された凸部３８ｂ３、凹部１８ａ１３、凸部３８ｃ３、凹部１８ａ１４参照）これにより、キャップ板３５ａが内壁部１５ｂと面一となる。
【０１０７】
さらに、同様にして、カバー載置工程Ｓ４と、カバー固定工程Ｓ５と、キャップ工程Ｓ６とを繰り返して、カバー部材２６，キャップ部材３６を組み立てて、図１３に示す状態とする。
【０１０８】
これにより、コーナー部材２１において、突出部２１ｄには曲面部２６ｋの内側端部が当接し、突出部２１ｅには曲面部２５ｋの内側端部が当接するとともに、突出部２１ｃには内側に外側端部４１ａ１が当接し、外側に円弧状部１１ｂの内側面が当接した状態となる。したがって、コーナー部材２１が外側の３方向から規制されて位置が安定する。
【０１０９】
同時に、曲面部２６ｋの内側端部が突出部２１ｄに当接することで、カバー部材２６の外側面（面取り面）２６ａとコーナー部材２１の外側面（面取り面）２１ａとの間には、突出部２１ｄが位置しており、空間構成用構造体１０を外部から見た際に、カバー部材２６の外側面（面取り面）２６ａとコーナー部材２１の外側面（面取り面）２１ａとの間に外観上隙間が生じることがなく、外側面（面取り面）２１ａと外側面（面取り面）２６ａとを連続して視認可能となる。
【０１１０】
さらに、同様にして、カバー載置工程Ｓ４と、カバー固定工程Ｓ５と、キャップ工程Ｓ６とを繰り返して、カバー部材２７，２８，キャップ部材３７，３８を組み立てて、図１に示す状態とし、空間構成用構造体１０の組み立てを完了する。
なお、パネル部組み立て工程Ｓ２後において、カバー載置工程Ｓ４とカバー固定工程Ｓ５とキャップ工程Ｓ６とを繰り返すカバー部材２５〜２８等の組み立て順は、上記の順番に限定されるものではない。
【０１１１】
また、本実施形態の空間構成用構造体１０の組み立て方法においては、環状構造体および支柱フレーム１１〜１４が連結された後、パネル部１９Ａ〜１９Ｄを取り付けたが、互いに連結する工程を任意の順番でおこなうことができる。
【０１１２】
このように、梁フレーム１５〜１８と連結部材４１〜４４と支柱フレーム１１〜１４とパネル部１９Ａ〜１９Ｄとの組み立て方として、設置場所、パネル材質などに応じた多様な作り方が可能となる。したがって、組み立てにおけるハンドリング性を向上し、組み立てにかかる作業時間の短縮を図ることができる。また、支柱フレーム１１〜１４とパネル部１９Ａ〜１９Ｄとの長手方向における寸法を等しくすることができ、運送を容易にすることができる。
【０１１３】
図１４は、本実施形態における空間構成用構造体における寸法を説明する模式図である。図１５は、本実施形態における空間構成用構造体における寸法を説明する模式図である。
本実施形態に係る空間構成用構造体１０には、外側面（面取り面）１１ａ〜１４ａ，２５ａ〜２８ａ，２１ａ〜２４ａが形成される。外側面（面取り面）１１ａ〜１４ａ，２５ａ〜２８ａ，２１ａ〜２４ａは、略四角柱状として形成される空間構成用構造体１０外形の稜線部分（外形輪郭）を面取りしている。
【０１１４】
これらの外側面（面取り面）１１ａ〜２８ａは、外凸の曲面とされ曲率が、いずれもほぼ等しく設定されている。ここでは、まず支柱フレーム１１の外側面（面取り面）１１ａについて説明する。
具体的には、図１４に示すように、支柱フレーム１１の水平断面において、外側面（面取り面）１１ａの曲率半径をＲとし、対応する梁フレーム１５，１６に接続される位置における支柱フレーム１１の幅寸法をｔとしたときに、これらの関係が、
（１−１／√２）Ｒ≦ ｔ ≦Ｒ
を満たすように設定される。
【０１１５】
ここで、支柱フレーム１１の幅寸法ｔが外側面（面取り面）１１ａの曲率半径Ｒより大きく設定された場合には、支柱フレーム１１の幅寸法ｔよりも外側面（面取り面）１１ａにおける幅寸法のほうが大きくなり、支柱フレーム１１と同じ幅寸法とされる梁フレーム１５，１６を接続することが困難となる。ここで、外側面（面取り面）１１ａにおける幅寸法とは、支柱フレーム１１の幅寸法ｔと同じ方向における外側面（面取り面）１１ａの幅寸法、つまり、図１４に示す外側面（面取り面）１１ａにおける上下方向寸法、または、左右方向寸法を意味している。
【０１１６】
さらに、四角柱状の空間構成用構造体１０の側面部分にパネル部１９Ａ〜１９Ｄを設けた場合に、パネル部１９Ａ，１９Ｃの厚さ寸法は、支柱フレーム１１の幅寸法ｔと等しく設定することができる。この際、パネル部１９Ａ，１９Ｃが透明な透過部分を有する場合、および隣接する位置となる四角柱状の側面にパネル部を設けていない場合には、支柱フレーム１１よりもパネル部１９Ａ〜１９Ｄが厚くなってしまうため、空間構成用構造体１０を側面視した際の見た目が損なわれる。
また、支柱フレーム１１の幅寸法ｔ、すなわち、パネル部の厚さが（１−１／√２）Ｒ以下に設定された場合には、支柱フレーム１１の外側面（面取り面）１１ａとパネル部１９Ａ，１９Ｃの外側面とを段差なく面一に接続させた場合に、内部空間側に形成される角度が四角柱を形成する９０度とすることができなくなり、内部空間の利用に制約が発生するため好ましくない。
【０１１７】
本実施形態の空間構成用構造体１０においては、環状構造体と支柱フレーム１１〜１４とが充分な強度を持った状態として、内部空間を外部から分離して四角柱状の内部空間を形成することができる。ここで、図１６に示すように、空間構成用構造体１０の上側に位置する上側照明ＬＬから照射される場合を考える。この際、上側照明ＬＬから照射される光は、環状構造体を採光口としている。
【０１１８】
また、上側照明ＬＬから照射される光が空間構成用構造体１０によって遮られて空間構成用構造体１０の周囲に大きな影を作る場合でも、外側面（面取り面）１１ａ〜２４ａが環状構造体の上側から外側に向けた面取りとされているため周辺への遮光の影響を小さくすることができる。
ここで、上側照明ＬＬは、空間構成用構造体１０の設置された室内の天井等に設けられた照明手段とすることもできる。さらに、上側照明ＬＬは、空間構成用構造体１０の設置された建造物の天窓等とすることができ、この場合、外部から照射される自然光とすることもできる。
【０１１９】
また、環状構造体に加えて支柱フレーム１１〜１４も面取りされていることで、空間構成用構造体１０の外形の稜線部分が全て面取りされているため、空間構成用構造体１０を設置する向きを変更しても遮光される範囲は影響を受けない。これにより、空間構成用構造体１０におけるデザイン性と視覚性とを向上することができる。
これにより、空間構成用構造体１０周辺への遮光影響を小さくすることが可能となるため、空間構成用構造体１０に対する上側位置から照射された光によって空間構成用構造体１０周辺を照らしつつ、空間構成用構造体１０の内部空間も良好に照らすことが可能となる。
【０１２０】
これにより、環状構造体と支柱フレーム１１〜１４との強度をほとんど損なうことなく、周辺への遮光の影響を小さくすることができる。また、空間構成用構造体１０外側から見た際に、環状構造体の上部がなだらかな形状となっているため、利用者に柔らかい印象を持たせることが可能である。
【０１２１】
また、複数の空間構成用構造体１０を隣接するように並設した場合でも、隣接する支柱フレーム１１〜１４、および、対応する位置にある環状構造体が、それぞれ略等しい曲率を有することになる。したがって、複数の隣接する空間構成用構造体１０がほぼ同一の外観となるため、見た目の統一を行うことが可能となる。さらに、複数の空間構成用構造体１０を異なる向きとして隣接するように並設した場合でも、ほぼ同一の外観となるため、見た目の統一を行うことが可能となる。
【０１２２】
また、支柱フレーム１１〜１４と梁フレーム１５〜１８とを同一材質で作成することが可能となり、安価な製造を可能とすることができる。
さらに、コーナー部材２１〜２４と支柱フレーム１１〜１４との外側面（面取り面）１１ａ〜２４ａ、および、コーナー部材２１〜２４とカバー部材２５〜２８との外側面（面取り面）２１ａ〜２８ａにおいて、それぞれの外側面（面取り面）１１ａ〜２８ａがあたかも連続しているように面一に形成することで、視認性を向上することができる。
【０１２３】
また、カバー部材２５〜２８とコーナー部材２１〜２４とによって、環状構造体の稜線部分を覆うことができるため、強度に影響を与えることなく外側面（面取り面）２１ａ〜２８ａを形成することが可能となる。
また、外形の稜線部分が全て面取りされており、かつ、環状構造体における面取り面を面一として、デザイン性と視覚性と遮光性とを向上することができる。
【０１２４】
以下、本発明に係る空間構成用構造体の第２実施形態を、図面に基づいて説明する。
図１７は、本実施形態における空間構成用構造体を示す斜視図であり、図１８は、本実施形態における空間構成用構造体において梁フレームを図１７におけるＸＶＩＩＩ−ＸＶＩＩＩ矢視した断面図であり、本実施形態において、上述した第１実施形態と異なるのは、パネル部に関する点であり、これ以外の上述した第１実施形態と対応する構成には同一の符号を付してその説明を省略する。
【０１２５】
本実施形態においては、図１７，図１８に示すように、パネル部１９Ａ〜１９Ｄが内側空間に対する外側位置に周設された溝１２０に嵌め込まれたガラス等の板状体１０１からなる。これにより、空間構成用構造体１０は、外部から内側空間が視認可能となる。
【０１２６】
本実施形態においても、梁フレーム１５〜１８および連結部材４１〜４４からなる環状構造体と支柱フレーム１１〜１４とパネル部１９Ａ〜１９Ｄとを連結手段（接続部材）Ｂ，Ｂ３，Ｂ４によって組み立てるため、設置場所、パネル材質などに応じた多様な作り方が可能となる。したがって、組み立てにおけるハンドリング性を向上し、組み立てにかかる作業時間の短縮を図ることができる。
【０１２７】
上記の実施形態においては、パネル部１９Ａにドア１９Ａａを有する構成としたが、本発明は上記の構成に限定されない。また、パネル部に、さらなる窓部などの開閉可能な構成、あるいは、部分的もしくは一面全面の開口部等を設けることもできる。パネル部１９Ａ以外の側部に別の開口を設けることもできる。あるいは、空間構成用構造体１０の上部開口付近に他の構成部品を設けることも可能である。
また、空間構成用構造体１０の外形として、略四角柱状としたが、他の多角柱状とすることもできる。この場合、複数の支柱フレームと複数の梁フレームとを連結する際に、連結部品における底板部と縦板部と横板部との接合角度を変更することで対応可能である。
上記の実施形態においては、梁部が梁フレーム１５〜１８とカバー部材２５〜２８とから形成され、また、連結部が連結部材４１〜４４とコーナー部材２１〜２４とから形成された構成を例示したが、これらを別体とせずに、たとえば梁フレーム１５とカバー部材２５とが一体である梁部、あるいは、連結部材４３とコーナー部材２３とが一体である連結部とすることなどもできる。
【０１２８】
なお、本発明においては、上記の各実施形態における構成を個別に組み合わせることが可能である。
【産業上の利用可能性】
【０１２９】
本発明の活用例として、オフィスに設置されるワークブース、打合せ用ブース、テレビ会議用のブース、電話応答を行うフォンブースや、図書館等の公共施設での閲覧ブースを挙げることができる。
【符号の説明】
【０１３０】
１０…空間構成用構造体
１１〜１４Ｙ…支柱フレーム
１１ａ〜１４ａ…外側面（面取り面）
１５〜１８Ｙ…梁フレーム（梁部）
２１〜２４…コーナー部材（連結部）
２５〜２８…カバー部材（梁部）
２５ａ〜２８ａ…外側面（面取り面）
４１〜４４Ｙ…連結部材（連結部）
【図１】
2020133357.tif 000003
【図２】
2020133357.tif 000004
【図３】
2020133357.tif 000005
【図４】
2020133357.tif 000006
【図５】
2020133357.tif 000007
【図６】
2020133357.tif 000008
【図７】
2020133357.tif 000009
【図８】
2020133357.tif 000010
【図９】
2020133357.tif 000011
【図１０】
2020133357.tif 000012
【図１１】
2020133357.tif 000013
【図１２】
2020133357.tif 000014
【図１３】
2020133357.tif 000015
【図１４】
2020133357.tif 000016
【図１５】
2020133357.tif 000017
【図１６】
2020133357.tif 000018
【図１７】
2020133357.tif 000019
【図１８】
2020133357.tif 000020